(57)【要約】【課題】粘着テープを、幅方向の中央が突き当てた外フラップの先端縁に沿うように貼付することで、梱包箱を粘着テープで見栄え良く封緘できる梱包箱を提供する。【解決手段】梱包箱は、四角筒状の胴部２と、一対の内フラップと、一対の外フラップ４Ａと、を有する。一対の外フラップ４Ａには、先端縁１０と両側縁１１との角に切り欠き部７が形成されている。切り欠き部７の側縁１１に沿った長さは、粘着テープ５の幅の半分の長さである。一対の外フラップ４Ａの先端縁１０を互いに突き当てて、粘着テープ５の両側縁をそれぞれ切り欠き部７に嵌め込むように貼付することによって、粘着テープ５を、幅方向の中央が突き当てられた先端縁１０に沿うように貼付することができ、粘着テープ５によって梱包箱を見栄え良く封緘できる。【選択図】図３
2015224053.tif 000002
【特許請求の範囲】
【請求項１】
四角筒状の胴部と、該胴部の一方の対向する端縁に連接されて内側に折り曲げられる一対の内フラップと、前記胴部の他方の対向する端縁に連接されて内側に折り曲げられて前記一対の内フラップの上側に重ねられる一対の外フラップと、を有し、前記一対の外フラップの先端縁を互いに突き当て、突き当てられた前記先端縁に沿って粘着テープを貼付することにより封緘される梱包箱であって、
前記一対の外フラップには、前記先端縁と直交する両側縁のそれぞれに、前記先端縁から前記粘着テープの幅の半分の長さの位置を示す目印部が設けられていることを特徴とする梱包箱。
【請求項２】
前記目印部は、前記一対の外フラップの前記先端縁と前記両側縁のそれぞれとの角に形成された切り欠き部であり、該切り欠き部の前記側縁に沿う方向の長さは、前記粘着テープの幅の半分の寸法と同等であることを特徴とする請求項１に記載の梱包箱。
【発明の詳細な説明】
【技術分野】
【０００１】
本発明は、運搬時や保管時等において被梱包物を保護するための梱包箱に関する。
【背景技術】
【０００２】
プリンターや複合機等の画像形成装置や画像形成装置を構成する部品等を運搬したり保管したりする際には、段ボール等の梱包材料によって形成されるＡ式の梱包箱が用いられる場合が多い。Ａ式の梱包箱とは、箱状の本体部の開口を、折り畳み式の内外フラップで開閉する形状の箱であり、比較的安価であるので広く使用されている。
【０００３】
このような梱包箱は、一対の内フラップを内側に折り曲げた後で一対の外フラップを一対の内フラップの上側に重なるように折り曲げ、一対の外フラップのそれぞれの先端縁を突き当てて、先端縁に沿って粘着テープを貼付することによって封緘される。この際、粘着テープは、一対の外フラップの突き当てられた先端縁に、幅方向の中央が沿うように貼付されることが好ましい。しかし、この作業は一般には手作業で行われるので、作業者は、粘着テープの幅方向の中央を突き当てられた先端縁に目測で合わせることになる。
【０００４】
すると、図４（Ａ）に示すように、粘着テープ１０２の幅方向の中央が、一対の内フラップ１０１の突き当てられた先端縁１０１ａから前後方向にずれたり、あるいは、図４（Ｂ）に示すように、一対の外フラップ１０１のそれぞれの先端縁１０１ａが左右方向にずれた状態のままで粘着テープを貼付してしまったりする場合がある。あるいは、粘着テープ１０２が、一対の内フラップ１０１の突き当てられた先端縁１０１ａと交差する方向に貼付されるようなこともあり得る。このように、粘着テープ１０２が正規の位置からずれて貼付されると、梱包箱１００の見た目が悪くなるという問題がある。
【０００５】
そこで、従来、特許文献１のように、突き当てられた外フラップの先端縁に沿って、粘着テープの幅より広い幅の範囲を圧縮して薄肉部を形成し、この薄肉部に沿って粘着テープを貼付することで、粘着テープの厚さによる梱包箱の中央部分の膨れを抑えるように構成された梱包箱が提案されている。
【先行技術文献】
【特許文献】
【０００６】
【特許文献１】特開２００１−７２０４３号公報
【発明の概要】
【発明が解決しようとする課題】
【０００７】
特許文献１に開示されている梱包箱においては、外フラップの先端縁に沿って粘着テープの貼付位置を示す薄肉部が形成されているが、薄肉部は粘着テープの厚さを吸収するためのものであり、粘着テープの正規な貼付位置を示すためのものではない。つまり、梱包箱にフレキソ印刷を行うための搬送用ドラムに凸部を設けて、この凸部で外フラップの先端縁を圧縮して薄肉部を形成しており、凸部の正確な寸法の設定や位置決めは行われていない。そのため、薄肉部が外フラップの先端縁から前後方向や左右方向にずれて形成されてしまう虞もあるので、薄肉部が、突き当てられた外フラップの先端縁に粘着テープの中央を沿わせるための案内にはなり得ない。
【０００８】
そこで本発明は上記事情を考慮し、突き当てられた外フラップの先端縁に粘着テープの幅方向の中央を沿わせるように案内することにより、粘着テープで見栄え良く封緘できる梱包箱を提供することを目的とする。
【課題を解決するための手段】
【０００９】
上記目的を達成するため、本発明の梱包箱は、四角筒状の胴部と、該胴部の一方の対向する端縁に連接されて内側に折り曲げられる一対の内フラップと、前記胴部の他方の対向する端縁に連接されて内側に折り曲げられて前記一対の内フラップの上側に重ねられる一対の外フラップと、を有し、前記一対の外フラップの先端縁を互いに突き当て、突き当てられた前記先端縁に沿って粘着テープを貼付することにより封緘される梱包箱であって、前記一対の外フラップには、前記先端縁と直交する両側縁のそれぞれに、前記先端縁から前記粘着テープの幅の半分の長さの位置を示す目印部が設けられていることを特徴とする。
【００１０】
このような構成を採用することにより、一対の外フラップの先端縁を互いに突き当てて、粘着テープの両側縁をそれぞれ目印部に沿うように貼付することによって、粘着テープを、幅方向の中央が突き当てられた先端縁に沿うように貼付することができ、粘着テープによって梱包箱を見栄え良く封緘できる。
【００１１】
本発明において、前記目印部は、前記一対の外フラップの前記先端縁と前記両側縁のそれぞれとの角に形成された切り欠き部であり、該切り欠き部の前記側縁に沿う方向の長さは、前記粘着テープの幅の半分の寸法と同等であることを特徴としても良い。
【００１２】
このような構成を採用することにより、一対の外フラップのずれを目立たなくすることができる。また、粘着テープの側縁が切り欠き部の側面に係止されるので、一対の外フラップのずれを規制することができる。
【発明の効果】
【００１３】
本発明によれば、突き当てられた外フラップの先端縁に粘着テープの幅方向の中央を沿わせて貼付することができるので、梱包箱を見栄え良く粘着テープで封緘することができる。
【図面の簡単な説明】
【００１４】
【図１】本発明の一実施形態に係る梱包箱を示す斜視図である。
【図２】本発明の一実施形態に係る梱包箱の展開図である。
【図３】本発明の一実施形態に係る梱包箱において、切り欠き部に粘着テープが貼付された状態を示す斜視図である。
【図４】従来の梱包箱において、一対の外フラップのずれの状態を示す斜視図であり、図４（Ａ）は粘着テープが上下方向にずれて貼付された状態を示す斜視図、図４（Ｂ）は一対の外フラップが左右方向にずれた状態を示す斜視図である。
【発明を実施するための形態】
【００１５】
以下、図面を参照しつつ本発明の一実施形態に係る梱包箱について説明する。
【００１６】
本発明の一実施形態に係る梱包箱について、図１〜図３を参照して説明する。図１は梱包箱の斜視図、図２は梱包箱の展開図、図３は梱包箱において切り欠き部に粘着テープが貼付された状態を示す斜視図である。以下の説明において、上下左右前後の方向は、各図に示す上下左右前後方向を指す。
【００１７】
梱包箱１は、四角筒状の胴部２と、上下の一対の内フラップ３Ａ、３Ｂと、上下の一対の外フラップ４Ａ、４Ｂと、を有する。梱包箱１は、例えば段ボール等の高強度の梱包材料で形成されている。
【００１８】
胴部２は、対向する一対の短側板２ａと、対向する一対の長側板２ｂと、を有する。図２に示されるように、一対の短側板２ａと一対の長側板２ｂとは折り線を介して交互に連接されており、各折り線に沿って内側に直角に折り曲げられることにより、四角筒状の胴部２が形成される。胴部２の上下端には、それぞれ方形の開口が形成されている。
【００１９】
一対の上側内フラップ３Ａは、胴部２の一対の短側板２ａのそれぞれの上縁に、折り線を介して内側に折り曲げ可能に連接されている。一対の下側内フラップ３Ｂは、胴部２の一対の短側板２ａのそれぞれの下縁に、折り線を介して内側に折り曲げ可能に連接されている。
【００２０】
一対の上側外フラップ４Ａは、胴部２の一対の長側板２ｂのそれぞれの上縁に、折り線を介して内側に折り曲げ可能に連接されている。一対の上側外フラップ４Ａを、一対の上側内フラップ３Ａの外側に折り重ね、各上側外フラップ４Ａの先端縁１０を互いに突き当て、突き当てられた先端縁１０に沿って粘着テープ５を貼付することによって、胴部２の上側開口が閉じられる。
【００２１】
一対の下側外フラップ４Ｂは、胴部２の一対の長側板２ｂのそれぞれの下縁に、折り線を介して内側に折り曲げ可能に連接されている。一対の下側外フラップ４Ｂを、一対の下側内フラップ３Ｂの外側に折り重ね、各下側外フラップ４Ｂの先端縁１０を互いに突き当て、突き当てられた先端縁１０に沿って粘着テープ（図示されず）を貼付することによって、胴部２の下側開口が閉じられる。これによって、梱包箱１が封緘される。
【００２２】
一対の上側外フラップ４Ａのそれぞれと一対の下側外フラップ４Ｂのそれぞれとには、先端縁１０と両側縁１１のそれぞれとの角に、切り欠き部７が形成されている。
【００２３】
切り欠き部７は、図２及び図３に示されるように、各外フラップ４Ａ、４Ｂの側縁１１の方向に長い方形の形状であり、各外フラップ４Ａ、４Ｂの側縁１１に沿った長さＬ１が、粘着テープ５の幅の半分の長さと同じ、あるいは、粘着テープ５の幅の半分の長さよりもやや長い長さであり、各外フラップ４Ａ、４Ｂの先端縁１０に沿った長さＬ２は、外フラップ４Ａ、４Ｂの厚さ程度である。ただし、先端縁１０に沿った長さＬ２は、切り欠き部７が確認できる程度であればよい。粘着テープ５としては、一般の梱包箱の封止に使用される粘着テープを使用できる。
【００２４】
上記構成を有する梱包箱１を封緘する方法を説明する。まず、一対の上側内フラップ３Ａを、折り線を介して内側に折り曲げ、次に、一対の上側外フラップ４Ａを、折り線を介して内側に折り曲げ、一対の上側内フラップ３Ａの外側に重ねる。そして、各上側外フラップ４Ａの先端縁１０を互いに突き当てる。この際、一対の上側外フラップ４Ａを、図３に示されるように、各切り欠き部７が各外フラップ４Ａの側縁１１に沿う直線状に並ぶように位置決めする。これにより、対向する切り欠き部７によって、一対の上側外フラップ４Ａの左右の側縁１１に沿って、粘着テープ５の幅と同程度の幅の凹部８が形成される。一対の上側外フラップ４Ａの突き当てられた先端縁１０が、凹部８の中央となる。
【００２５】
そして、梱包箱１の左右の側縁１１の凹部８間に、粘着テープ５を貼付する。この際、粘着テープ５を両凹部８に嵌め込むように貼付することにより、粘着テープ５の幅方向の中央が、突き当てられた先端縁１０に沿うようになる。これにより、梱包箱１の胴部２の上側開口が閉じられる。
【００２６】
次に、一対の下側内フラップ３Ｂと一対の下側外フラップ４Ｂとを、同様に折り曲げて粘着テープによって、梱包箱１の下側開口が閉じる。これにより、梱包箱１が封緘される。
【００２７】
上記したように本実施形態に係る梱包箱１においては、粘着テープ５の幅と同程度の幅の凹部８に沿って粘着テープ５を貼付すれば、粘着テープ５の幅方向の中央が、一対の外側フラップ４Ａ、４Ｂの突き当てられた先端縁１０に沿うようになる。また、一対の外フラップ４Ａ、４Ｂを、切り欠き部７を側縁１１に沿って直線状に並べることにより、一対の外フラップ４Ａ、４Ｂを幅方向にずれないように位置決めすることができる。
【００２８】
したがって、粘着テープ５の貼付位置が、一対の外フラップ４Ａ、４Ｂの突き当てられた先端縁１０から、粘着テープ５の幅方向にずれたり、一対の外フラップ４Ａ、４Ｂのそれぞれの先端縁１０が、幅方向にずれた状態のままで粘着テープ５を貼付してしまったりすることがなく、貼付テープ５を見栄えよく貼付することができる。
【００２９】
また、一対の外フラップ４Ａ、４Ｂのそれぞれの先端縁１０が幅方向にややずれた状態のままでも、図３に示されるように、各外フラップ４Ａにおいて、切り欠き部７の端面７ａと側縁１１との角Ｃ１が、切り欠き部５を介して離間しているので、ずれが目立たなくなる。なお、切り欠き部７の側面７ｂと先端縁１０との角Ｃ２の位置のずれは、粘着テープ５によって隠される。
【００３０】
さらに、粘着テープ５の側縁が切り欠き部７の端面７ａに係止されるので、一対の外フラップ４Ａ、４Ｂが外力によってずれることを防止できる。
【００３１】
本実施形態においては、切り欠き部７の形状の矩形状としたが、一対の外フラップ４Ａ、４Ｂの側縁１１に沿った切り欠き部７の長さＬ１が、粘着テープ５の幅の半分程度の幅とすれば、他の形状でも良い。例えば、一対の外フラップ４Ａ、４Ｂのそれぞれの先端縁１０と側縁１１との角を斜めに切り欠いた三角形形状や、角を湾曲状に切り欠いた扇型形状としても良い。また、切り欠き部ではなく、一対の外フラップ４Ａ、４Ｂのそれぞれの側縁１１に、先端縁１０から粘着テープ４の幅の半分の寸法だけ離れた位置に、目印となる線等が印刷されていても良い。
【００３２】
さらに、上記した本発明の実施形態の説明は、本発明に係る梱包箱における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３３】
１  梱包箱
２  胴部
３Ａ  一対の上側内フラップ
３Ｂ  一対の下側内フラップ
４Ａ  一対の上側外フラップ
４Ｂ  一対の下側外フラップ
５  粘着テープ
７  切り欠き部（目印）
１０  先端縁
１１  側縁
【図１】
2015224053.tif 000003
【図２】
2015224053.tif 000004
【図３】
2015224053.tif 000005
【図４】
2015224053.tif 000006